【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
脈波センサーを有する脈波検出部からの脈波信号と、体動センサーを有する体動検出部からの体動信号とに基づいて、拍動情報を演算する拍動情報演算部と、
被検体の運動状態を判定する判定部と、
前記判定部での前記運動状態の判定結果に基づいて、前記脈波検出部での脈波センシング動作、前記体動検出部での体動センシング動作、及び前記拍動情報演算部での演算処理レートの少なくとも一つを変更する制御を行う制御部と、
を含むことを特徴とする拍動検出装置。
【請求項２】
請求項１において、
前記判定部は、
前記被検体が運動中か生活活動中かを判定し、
前記制御部は、
前記判定部において前記被検体が前記生活活動中と判定された場合には、前記被検体が前記運動中と判定された場合に比べて、前記脈波センシング動作の動作レートを低くする制御、前記体動センシング動作の前記動作レートを低くする制御、及び前記演算処理レートを低くする制御の少なくとも一つの制御を行うことを特徴とする拍動検出装置。
【請求項３】
請求項１において、
前記判定部は、
前記被検体が生活活動中か睡眠中を判定し、
前記制御部は、
前記判定部において前記被検体が前記睡眠中と判定された場合には、前記被検体が前記生活活動中と判定された場合に比べて、前記脈波センシング動作の動作レートを低くする制御、前記体動センシング動作の前記動作レートを低くする制御、及び前記演算処理レートを低くする制御の少なくとも一つの制御を行うことを特徴とする拍動検出装置。
【請求項４】
請求項１において、
前記判定部は、
前記被検体が運動中か睡眠中かを判定し、
前記制御部は、
前記判定部において前記被検体が前記睡眠中と判定された場合には、前記被検体が前記運動中と判定された場合に比べて、前記脈波センシング動作の動作レートを低くする制御、前記体動センシング動作の前記動作レートを低くする制御、及び前記演算処理レートを低くする制御の少なくとも一つの制御を行うことを特徴とする拍動検出装置。
【請求項５】
請求項１乃至４のいずれかにおいて、
前記制御部は、
前記判定部での前記運動状態の前記判定結果に基づいて、前記拍動情報演算部での演算処理内容を制御することを特徴とする拍動検出装置。
【請求項６】
請求項５において、
前記拍動情報演算部は、
前記脈波信号に対してノイズ低減処理を行うノイズ低減部を含み、
前記制御部は、
前記運動状態の前記判定結果に基づいて、前記ノイズ低減部での前記ノイズ低減処理の内容を制御することを特徴とする拍動検出装置。
【請求項７】
請求項６において、
前記判定部は、
前記被検体が運動中か生活活動中かを判定し、
前記ノイズ低減部は、
強調フィルター処理を行う第１のフィルターと、前記体動信号に基づいて前記ノイズ低減処理を行う第２のフィルターを有し、前記被検体が前記運動中と判定された場合には、前記第１のフィルター及び前記第２のフィルターにより前記ノイズ低減処理を行い、前記被検体が前記生活活動中と判定された場合には、前記第１のフィルターにより前記ノイズ低減処理を行うことを特徴とする拍動検出装置。
【請求項８】
請求項１乃至７のいずれかにおいて、
前記判定部は、
所与の運動状態判定期間における前記体動信号に基づいて、前記運動状態の判定を行うことを特徴とする拍動検出装置。
【請求項９】
請求項８において、
前記判定部は、
前記運動状態判定期間における前記体動信号に基づいて、運動中、生活活動中及び睡眠中のいずれかの前記運動状態に対応する中間結果を取得し、１又は複数の前記中間結果に基づいて、前記運動状態を判定することを特徴とする拍動検出装置。
【請求項１０】
請求項９において、
前記判定部は、
前記被検体が前記運動中と判定されている場合には、前記運動中以外の前記運動状態に対応する前記中間結果がＮ（Ｎは２以上の整数）回取得された場合に、前記被検体が前記生活活動中と判定し、
前記被検体が前記生活活動中と判定されている場合には、前記運動中に対応する前記中間結果が１又はＭ（ＭはＭ＜Ｎを満たす２以上の整数）回取得された場合に、前記被検体が前記運動中と判定することを特徴とする拍動検出装置。
【請求項１１】
請求項９又は１０において、
前記判定部は、
前記被検体が前記生活活動中と判定されている場合には、前記睡眠中に対応する前記中間結果がＰ（Ｐは２以上の整数）回取得された場合に、前記被検体が前記睡眠中と判定し、
前記被検体が前記睡眠中と判定されている場合には、前記生活活動中に対応する前記中間結果が１又はＱ（ＱはＱ＜Ｐを満たす２以上の整数）回取得された場合に、前記被検体が前記生活活動中と判定することを特徴とする拍動検出装置。
【請求項１２】
請求項８において、
前記判定部は、
前記運動状態判定期間において、前記体動信号の信号値が所与の信号閾値を超えた回数をカウントし、前記回数が所与の回数閾値よりも小さい場合には、前記被検体が睡眠中であると判定することを特徴とする拍動検出装置。
【請求項１３】
請求項１２において、
前記判定部は、
前記被検体が前記睡眠中ではないと判定された場合に、前記体動信号の周期性の有無の判定を行い、前記周期性がある場合には前記被検体が運動中であると判定し、前記周期性がない場合には前記被検体が生活活動中であると判定することを特徴とする拍動検出装置。
【請求項１４】
請求項１において、
前記判定部は、
前記被検体が運動中か生活活動中かを判定し、
前記判定部において前記被検体が前記生活活動中と判定された場合には、
前記制御部は、
前記被検体が前記運動中と判定された場合の前記脈波センシング動作の前記動作レートに対する比率がＲ１（Ｒ１は０＜Ｒ１＜１を満たす実数）となる前記動作レートに、前記脈波センシング動作の前記動作レートを設定する制御を行うとともに、
前記被検体が前記運動中と判定された場合の前記体動センシング動作の前記動作レートに対する比率がＲ２（Ｒ２は０＜Ｒ１＜Ｒ２≦１を満たす実数）となる前記動作レートに、前記体動センシング動作の前記動作レートを設定する制御を行うことを特徴とする拍動検出装置。
【請求項１５】
請求項１乃至１４のいずれかにおいて、
前記体動検出部は、
運動状態判定用センサーと体動ノイズ低減用センサーを前記体動センサーとして有し、
前記制御部は、
前記判定部での前記運動状態の前記判定結果に基づいて、前記体動ノイズ低減用センサーの前記センシング動作を制御することを特徴とする拍動検出装置。
【請求項１６】
請求項１５において、
前記制御部は、
前記運動状態判定用センサーの前記センシング動作を、前記判定部における前記運動状態の前記判定結果に基づいた制御対象から除外する制御を行うことを特徴とする拍動検出装置。
【請求項１７】
脈波センサーを有する脈波検出部からの脈波信号と、体動センサーを有する体動検出部からの体動信号とに基づいて、拍動情報を演算する拍動情報演算部と、
被検体の運動状態を判定する判定部と、
前記判定部での前記運動状態の判定結果に基づいて制御を行う制御部と、
を含み、
前記拍動情報演算部は、
前記脈波信号に対してノイズ低減処理を行うノイズ低減部を含み、
前記制御部は、
前記運動状態の前記判定結果に基づいて、前記ノイズ低減部での前記ノイズ低減処理の内容を制御することを特徴とする拍動検出装置。
【請求項１８】
請求項１乃至１７のいずれかに記載の拍動検出装置と、
前記脈波検出部と、
前記体動検出部と、
を含むことを特徴とする電子機器。
【請求項１９】
脈波センサーを有する脈波検出部からの脈波信号と、体動センサーを有する体動検出部からの体動信号とに基づいて、拍動情報を演算する拍動情報演算部と、
被検体の運動状態を判定する判定部と、
前記判定部での前記運動状態の判定結果に基づいて、前記脈波検出部での脈波センシング動作、前記体動検出部での体動センシング動作、及び前記拍動情報演算部での演算処理レートの少なくとも一つを変更する制御を行う制御部として、
コンピューターを機能させることを特徴とするプログラム。
【請求項２０】
請求項１９において、
前記判定部は、
前記被検体が運動中か生活活動中かを判定し、
前記制御部は、
前記判定部において前記被検体が前記生活活動中と判定された場合には、前記被検体が前記運動中と判定された場合に比べて、前記脈波センシング動作の動作レートを低くする制御、前記体動センシング動作の前記動作レートを低くする制御、及び前記演算処理レートを低くする制御の少なくとも一つの制御を、コンピューターに実行させることを特徴とするプログラム。
【請求項２１】
請求項１９において、
前記判定部は、
前記被検体が生活活動中か睡眠中を判定し、
前記制御部は、
前記判定部において前記被検体が前記睡眠中と判定された場合には、前記被検体が前記生活活動中と判定された場合に比べて、前記脈波センシング動作の動作レートを低くする制御、前記体動センシング動作の前記動作レートを低くする制御、及び前記演算処理レートを低くする制御の少なくとも一つの制御を、コンピューターに実行させることを特徴とするプログラム。
【請求項２２】
請求項１９において、
前記判定部は、
前記被検体が運動中か睡眠中かを判定し、
前記制御部は、
前記判定部において前記被検体が前記睡眠中と判定された場合には、前記被検体が前記運動中と判定された場合に比べて、前記脈波センシング動作の動作レートを低くする制御、前記体動センシング動作の前記動作レートを低くする制御、及び前記演算処理レートを低くする制御の少なくとも一つの制御を、コンピューターに実行させることを特徴とするプログラム。
【請求項２３】
請求項１９乃至２２のいずれかにおいて、
前記制御部は、
前記判定部での前記運動状態の前記判定結果に基づいて、前記拍動情報演算部での演算処理内容の制御を、コンピューターに実行させることを特徴とするプログラム。
【請求項２４】
請求項２３において、
前記拍動情報演算部は、
前記脈波信号に対してノイズ低減処理を行うノイズ低減部を含み、
前記制御部は、
前記運動状態の前記判定結果に基づいて、前記ノイズ低減部での前記ノイズ低減処理の内容の制御を、コンピューターに実行させることを特徴とするプログラム。
【請求項２５】
請求項２３において、
前記判定部は、
前記被検体が運動中か生活活動中かを判定し、
前記ノイズ低減部は、
強調フィルター処理を行う第１のフィルターと、前記体動信号に基づいて前記ノイズ低減処理を行う第２のフィルターを有し、前記被検体が前記運動中と判定された場合には、前記第１のフィルター及び前記第２のフィルターにより前記ノイズ低減処理を行い、前記被検体が前記生活活動中と判定された場合には、前記第１のフィルターにより前記ノイズ低減処理を、コンピューターに実行させることを特徴とするプログラム。
【請求項２６】
請求項１９乃至２５のいずれかにおいて、
前記判定部は、
所与の運動状態判定期間における前記体動信号に基づいて、前記運動状態を判定する処理を、コンピューターに実行させることを特徴とするプログラム。
【請求項２７】
請求項２６において、
前記判定部は、
前記運動状態判定期間における前記体動信号に基づいて、運動中、生活活動中及び睡眠中のいずれかの前記運動状態に対応する中間結果を取得し、１又は複数の前記中間結果に基づいて、前記運動状態の判定を、コンピューターに実行させることを特徴とするプログラム。
【請求項２８】
脈波センサーを有する脈波検出部からの脈波信号と、体動センサーを有する体動検出部からの体動信号とに基づいて、拍動情報を演算する拍動情報演算部と、
被検体の運動状態を判定する判定部と、
前記判定部での前記運動状態の判定結果に基づいて制御を行う制御部として、
コンピューターを機能させ、
前記拍動情報演算部は、
前記脈波信号に対してノイズ低減処理を行うノイズ低減部を含み、
前記制御部は、
前記運動状態の前記判定結果に基づいて、前記ノイズ低減部での前記ノイズ低減処理の内容を制御することを特徴とするプログラム。
【請求項２９】
請求項２８において、
前記判定部は、
前記被検体が運動中か生活活動中かを判定し、
前記ノイズ低減部は、
強調フィルター処理を行う第１のフィルターと、前記体動信号に基づいて前記ノイズ低減処理を行う第２のフィルターを有し、前記被検体が前記運動中と判定された場合には、前記第１のフィルター及び前記第２のフィルターにより前記ノイズ低減処理を行い、前記被検体が前記生活活動中と判定された場合には、前記第１のフィルターにより前記ノイズ低減処理を、コンピューターに実行させることを特徴とするプログラム。
【請求項３０】
請求項２８または２９において、
前記判定部は、
所与の運動状態判定期間における前記体動信号に基づいて、前記運動状態の判定する処理を、コンピューターに実行させることを特徴とするプログラム。
【請求項３１】
請求項３０において、
前記判定部は、
前記運動状態判定期間における前記体動信号に基づいて、運動中、生活活動中及び睡眠中のいずれかの前記運動状態に対応する中間結果を取得し、１又は複数の前記中間結果に基づいて、前記運動状態を判定する処理を、コンピューターに実行させることを特徴とするプログラム。
【請求項３２】
請求項３１において、
前記判定部は、
前記被検体が前記運動中と判定されている場合には、前記運動中以外の前記運動状態に対応する前記中間結果がＮ（Ｎは２以上の整数）回取得された場合に、前記被検体が前記生活活動中と判定し、
前記被検体が前記生活活動中と判定されている場合には、前記運動中に対応する前記中間結果が１又はＭ（ＭはＭ＜Ｎを満たす２以上の整数）回取得された場合に、前記被検体が前記運動中と判定する処理を、コンピューターに実行させることを特徴とするプログラム。
【請求項３３】
請求項３１又は３２において、
前記判定部は、
前記被検体が前記生活活動中と判定されている場合には、前記睡眠中に対応する前記中間結果がＰ（Ｐは２以上の整数）回取得された場合に、前記被検体が前記睡眠中と判定し、
前記被検体が前記睡眠中と判定されている場合には、前記生活活動中に対応する前記中間結果が１又はＱ（ＱはＱ＜Ｐを満たす２以上の整数）回取得された場合に、前記被検体が前記生活活動中と判定する処理を、コンピューターに実行させることを特徴とするプログラム。
【請求項３４】
請求項３０において、
前記判定部は、
前記運動状態判定期間において、前記体動信号の信号値が所与の信号閾値を超えた回数をカウントし、前記回数が所与の回数閾値よりも小さい場合には、前記被検体が睡眠中であると判定する処理を、コンピューターに実行させることを特徴とするプログラム。
【請求項３５】
請求項３４において、
前記判定部は、
前記被検体が前記睡眠中ではないと判定された場合に、前記体動信号の周期性の有無の判定を行い、前記周期性がある場合には前記被検体が運動中であると判定し、前記周期性がない場合には前記被検体が生活活動中であると判定する処理を、コンピューターに実行させることを特徴とするプログラム。